(57)【要約】【課題】  モータに正転指令または逆転指令の操作を与えるだけで低/高速切換を行うことができる新規の低高速切換用ギヤ装置を提供する。【解決手段】  正逆回転型モータで作動する低高速切換用ギヤ装置であって、当該正逆回転型モータにより正回転/逆回転する駆動軸に回転不能に固定された駆動ギヤと、駆動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤと、をもつものである。【選択図】        図２
2005027928.tif 000002
【特許請求の範囲】
【請求項１】
パッドカバーの下側に設けられたパッド付きパッド台が、同パッドカバーの上側に設けられた原動部により回転する手押しハンドル移動式ポリシャーおいて、上記原動部は、上から見たときに、その重心がパッド台の中心よりも浮上り点側に存在する偏心の位置になるようにして設けられたことを特徴とするポリシャー。
【請求項２】
原動部は、モータと変速装置で構成されたことを特徴とする請求項１記載のポリシャー。
【請求項３】
原動部が正逆回転型モータと当該正逆回転型モータで作動する低高速切換用ギヤ装置で構成されたことを特徴とする請求項１または２記載のポリシャー。
【請求項４】
正逆回転型モータで作動する低高速切換用ギヤ装置は、正逆回転型モータにより正回転/逆回転するモータ回転軸に回転不能に固定された原動ギヤと、原動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤと、をもつことを特徴とする請求項３記載のポリシャー。
【請求項５】
パッドカバーの下側に設けられたパッド付きパッド台が、同パッドカバーの上側に設けられた原動部により回転する手押しハンドル移動式ポリシャーおいて、上記原動部は、上から見たときに、その重心がパッド台の中心よりも浮上り点側に存在する偏心の位置になるようにして設けられ、上記原動部が家庭用カセットガスボンベで駆動するエンジンと変速装置と遠心クラッチ、ガバナ等接続装置で構成されたことを特徴とするポリシャー。
【発明の詳細な説明】
【技術分野】
【０００１】
本発明は、ポリシャーに関し、具体的にはパッドが回転し始めるときに発生していた偏圧接触現象（次の語意説明参照）を解消するようにされたポリシャー（次の語意説明参照）に関する。
【０００２】
なお、本文中において使用するポリッシャ−とは、洗浄ブラシ/研磨パッド/剥離パッド等のパッドを回転させる形式の床洗浄機、床磨き機、床剥離機等床面処理用装置である。
【０００３】
また、「偏圧接触現象」とは、パッドの接触圧全面が床面に対して均一な圧力で接していない状態、具体的には、パッドの回転始動により押し下げ力を受ける側（本文中、沈み点側という）が所謂沈んだような状態になり、パッドの回転始動により浮き上がり力を受ける側（本文中、浮上り点側という）が持ち上がったような状態になる現象のことである。床の洗浄等の際には始動の度に起きる現象である。
【背景技術】
【０００４】
従来知られているこの種のポリシャーは、上から見たときに、パッド台の回転中心と原動部の重心とが同軸配置に構成されていた（特許文献１参照）。このために、上記の偏圧接触現象は、モータ等原動部が始動するときに生ずる反動（ショック）から起きており、パッドの右後方が沈み点側になり、左前方が浮上り点側になって発生していた。
【０００５】
そこで、オペレーターは、作業中に何度も繰り返し行わなければならないポリシャーの始動の度に上記偏圧接触現象を体験することになり、全身を上手に使ってポリシャー全体の動き、姿勢を最良の状態にコントロールしながら作業を行っていた。
【０００６】
この全身を使って行うコントロール作業は、当然ながら経験が要求され、多少の訓練が必要であり、弱力者には危険で作業ができないというような事態も生じていた。また、作業中には、操作ハンドルを操作する利き腕を主に使ってコントロールすることが多く、当該利き腕に負担が集中して疲労がたまり易く、利き腕側に痛みすら生じてしまうというような好ましくない事態も往々に起きていた。
【０００７】
上記のような諸事情を解消するために、上記浮上りが発生する側にウエートを載せ置いて調節する等のことを行っていたが充分ではなく、ウエートを載せたり降ろしたりする手間が必要である上に、当該ウエートを管理しなければならない等の煩わしさがあるのみならず、ウエートの取り扱い中や洗浄作業中にケガをする等の危険性もあった。
【０００８】
さらに、沈みの状態及び浮き上がりの状態になるバランスの悪さから所謂ふらつきが生じ、床面に沿って行う左右に振る作業がうまくいかなく、洗いムラができてしまい易い欠陥もあった。また上記バランスの悪さが運転ミスの原因になって、近くにある製品に損傷を与えたり、建物の壁にぶつけたり、作業者が飛ばされたりするというような事故も起きていた。
【特許文献１】特開平５−２７７０５０号公報
【発明の開示】
【発明が解決しようとする課題】
【０００９】
請求項１に係るポリシャーは、上記現状に鑑み、コントロール作業の容易化及び利き腕側への負担の軽減化並びに安全性の確保等を簡単にできる新規のポリシャーを提供することを目的とする。
【００１０】
請求項２に係るポリシャーは、低コストで容易に実施できるようにすることを目的とする。
【００１１】
請求項３に係るポリシャーは、後述の「減速−大トルク化運転」及び「増速−低トルク化運転」をできるようにすることを目的とする。
【００１２】
請求項４に係るポリシャーは、「減速−大トルク化運転」及び「増速−低トルク化運転」をモータの正転/逆転切換すなわち、スイッチの切換だけで操作できるようにすることを目的とする。
【００１３】
さらに、請求項５に係るポリシャーは、上記の諸目的を電源コンセントのない場所でも享受できるようにすることを目的とする。
【課題を解決するための手段】
【００１４】
請求項１に係るポリシャーは、パッドカバーの下側に設けられたパッド付パッド台が同パッドカバーの上側に設けられた原動部により回転する手押しハンドル移動式ポリシャーにおいて、上記原動部は、上から見たときに、その重心がパッド台の中心よりも浮上り点側に存在する偏心の位置になるようにして設けられたものである。
【００１５】
請求項２に係るポリシャーは、原動部は、モータと変速装置で構成されたものである。
【００１６】
請求項３に係るポリシャーは、原動部は、正逆回転型モータと当該正逆回転型モータで作動する低高速切換用ギヤ装置で構成されたものである。
【００１７】
請求項４に係るポリシャーは、正逆回転型モータで作動する低高速切換用ギヤ装置は、当該正逆回転型モータにより正回転/逆回転するモータ回転軸に回転不能に固定された原動ギヤと、原動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤと、を備えたものである。
【００１８】
請求項５に係るポリシャーは、パッドカバーの下側に設けられたパッド付きパッド台が、同パッドカバーの上側に設けられた原動部により回転する手押しハンドル移動式ポリシャーおいて、上記原動部は、上から見たときに、その重心がパッド台の中心よりも浮上り点側に存在する偏心の位置になるようにして設けられ、上記原動部が家庭用カセットガスボンベで駆動するエンジンと変速装置と遠心クラッチ、ガバナ等接続装置で構成されたものである。
【発明の効果】
【００１９】
上記目的を達成するために請求項１に係るポリシャーにあっては、パッドカバーの下側に設けられたパッド付きパッド台が、同パッドカバーの上側に設けられた原動部により回転する手押しハンドル移動式ポリシャーおいて、上記原動部は、上から見たときに、その重心がパッド台の中心よりも浮上り点側に存在する偏心の位置になるようにして設けられたことを特徴とするので、コントロール作業の容易化及び利き腕側への負担の軽減化並びに安全性の確保が簡単にできる。
【００２０】
また、上記したようにウエート無しで浮き上がりを解消することが可能になるので、ウエート及びその管理をいらなくすることができる。仮に補助的にウエートを載せる必要があったとしても軽くて小さいウエートで間に合うので好都合である。
【００２１】
さらに、パッド台の中心と原動部の重心とを偏心させるだけで実現可能であって、殊更に部品を増やすこと無しに容易に実施できる。
【００２２】
さらに、沈みの状態及び浮き上がりの状態がない、あるいは少ない安定したバランスのよい所謂悪癖のない運転が可能であるので、作業者が飛ばされる危険性の解消およびポリシャーを壁にぶつける危険の解消ができるのみならず作業中には重心のバランスが良くなって、左右に振る作業が楽になり、洗いムラをなくす、あるいは少なくすることができる。
【００２３】
請求項２に係るポリシャーにあっては、原動部はモータと変速装置で構成されたことを特徴とするので、容易に実施できる。
【００２４】
請求項３に係るポリシャーにあっては、原動部は正逆回転型モータと当該正逆回転型モータで作動する低高速切換用ギヤ装置で構成されたことを特徴とするので、「減速−大トルク化運転」「増速−小トルク化運転」で使用することができる。例えば、汚れの多い洗い作業の初期段階には「減速−大トルク化運転」でしっかりと洗浄し、中盤には定格運転で丁寧に洗浄し、そして終盤には「増速−小トルク化運転」でさらっと軽快に洗浄するというような理想的な洗浄ができる。したがって、本発明に係るポリシャーによれば、電圧調整等電気的手段における高速−大トルクで洗浄するときに起きていた、遠くまで液分や粉塵を飛ばしてしまうというような不都合が解消でき、ビニール幕で覆い隠して商品を保護するというような煩わしい作業が省略できる。
【００２５】
請求項４に係るポリシャーにあっては、正逆回転型モータで作動する低高速切換用ギヤ装置は、当該正逆回転型モータにより正回転/逆回転するモータ回転軸に回転不能に固定された原動ギヤと、原動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤと、をもつことを特徴とするので、上記の「減速−大トルク化運転」及び「増速−低トルク化運転」をモータの正転/逆転切換で簡単且つ容易に行うことができる。
【００２６】
請求項５に係るポリシャーにあっては、パッドカバーの下側に設けられたパッド付きパッド台が同パッドカバーの上側に設けられた原動部により回転する手押しハンドル移動式ポリシャーおいて、上記原動部は、上から見たときに、その重心がパッド台の中心よりも浮上り点側に存在する偏心の位置になるようにして設けられ、上記原動部が家庭用カセットガスボンベで駆動するエンジンと変速装置と遠心クラッチ、ガバナ等接続装置で構成されたことを特徴とするので、電源コンセントのない場所でも上記諸効果を充分に享受できる。
【発明を実施するための最良の形態】
【００２７】
本発明に係る実施の形態を図面に基づいて説明する。
【００２８】
図に示される符号１は、手押し移動できる電動式の床洗浄機本体である。この床洗浄機本体１は、内蔵のモータ２により床面３上で回転するパッド（ブラシ）４をパッドカバー５により覆うことで構成された正面から見てほぼ凸字形を呈する原動部６と、この原動部６の後部に前後の方向へ起伏できるように且つ必要に応じて起立状態若しくは倒し状態に保持できるようにして連繋された操作ハンドル部７と、原動部６の後部に付設された移動輪８と、操作ハンドル部７にパッド４の回転に伴って洗浄液を供給しうるようにして設けられた洗浄液供給部９から構成されている。
【００２９】
そして、上記のパッドカバー５は、その内部に回転自在の状態にしてパッド台１０が設けられ、このパッド台１０はその下面に任意に交換しうる状態でパッド４が装着されている。また同パッドカバー５はその上部に低高速切換用ギヤ装置１１が固定されると共に当該低高速切換用ギヤ装置１１は、その上部にモータ２が固定されることによって原動部６が構成され、当該原動部６は上記パッド台１０を回転しうるようにされている。
【００３０】
上記原動部６は、上から見たときに、その重心３２がパッド台１０の回転の中心３３から後述する最良値分だけ浮上り点側にズラされた位置になして設けられている。
【００３１】
なお、上記最良値は、試作品を製作してズレの方向とズレの寸法を模索することにおいて、最良とされた値のことである。
【００３２】
因みに、本発明の実施の形態に係るポリシャーは、左前方の斜め方向に約１.５インチほどズラした位置を最良値の位置にして原動部６が設けられている。すなわち、原動部６の重心３２の位置が、上から見たときに、パッド台１０の回転の中心３３から上記浮き上がりが生じる個所に近づくズレの方向とズレの寸法とからなる値を最良値に選定して実施されたものである。なお、左前方の斜め方向に１インチから３インチほどの間においてズラした位置が好ましく、１インチより小さいと効果が少なく、３インチより大きいとアンバランス状態になって好ましくない。
【００３３】
本発明は、原動部の重心が、上から見たときに、パッド台の回転の中心から浮き上がりが生じる個所に近づくズレの方向とズレの寸法とからなる値でズラし設けられた全てのポリシャーに及ぶものである。
【００３４】
上記の低高速切換用ギヤ装置１１は、その主要部分がギヤボックス部１２に内蔵されてユニット化されたものであって、上記パッドカバー５の上部に固定されている。そして、このギヤボックス部１２の上には上記モータ４が固定されている。
【００３５】
上記のモータ４の回転軸（原動軸）１３の下端部は、ギヤボックス部１２内に上から挿入された状態にされており、また上記パッド台１０の中心軸１４の上端部は、ギヤボックス部１２の下面壁に回転自在の状態に支承されている。
【００３６】
そして、上記モータ４の回転軸１３の下端には、原動ギヤ１５が回転不能の状態にして固着され、またパッド台１０の中心軸１４の上端には従動ギヤ１６が回転不能の状態にして固着されている。さらに、パッド台１０の中心軸１４の下端にはパッドの取付け部材２８が回転不能に固定され、当該取付け部材２８にパッド台１０の台本体２９が任意に着脱できるようにされている。
【００３７】
さらに、上記原動ギヤ１５のまわりには、低速側第１伝達ギヤ１７と当該低速側第１伝達ギヤ１７に低速側ワンウエイ・ベアリング１８および低速側中心軸１９を介して支承された低速側第２伝達ギヤ２０とからなる低速側ギヤ群２１が配装され、低速側第１伝達ギヤ１７は原動ギヤ１５に常に噛合された状態にされている。
【００３８】
また、同原動ギヤ１５のまわりには、アイドラギヤ２２が同原動ギヤ１５に常に噛合された状態にして配装されている。
【００３９】
さらに、上記アイドラギヤ２２のまわりには、高速側第１伝達ギヤ２３と当径高速側第１伝達ギヤ２３に高速側ワンウエイ・ベアリング２４および高速側中心軸２５を介して支承された高速側第２伝達ギヤ２６とで構成された高速側ギヤ群２７が配装され、高速側第１伝達ギヤ２３は上記アイドラギヤ２２に常に噛合された状態にされている。
【００４０】
また、上記の低速側第２伝達ギヤ２０及び高速側第２伝達ギヤ２６は、上記の従動ギヤ１６に常に噛合した状態にされているものである。
【００４１】
上記ワンウエイ・ベアリングは、一方だけに伝動する接手のことであって、本発明は当該ワンウエイ・ベアリングに代えて、シェル形ローラクラッチ、ワンウエイ・クラッチ等を採用して実施することができる。
【００４２】
すなわち、上記の実施の形態に係るポリシャーにおける上記の低高速切換用ギヤ装置１１は、低速側第１伝達ギヤ１７と低速側第２伝達ギヤ２０がワンウエイ・ベアリング１８の係合により連結された時には、高速側第１伝達ギヤ２３と高速側第２伝達ギヤ２６がワンウエイ・ベアリング２４の離脱により連結されていない状態になる。また、高速側第１伝達ギヤ２３と高速側第２伝達ギヤ２６がワンウエイ・ベアリング２４の係合により連結された時には、低速側第１伝達ギヤ１７と低速側第２伝達ギヤ２０がワンウエイ・ベアリング１８の離脱により連結されていない状態になるようにされているものである。
【００４３】
因みに、上記の実施例における低高速切換用ギヤ装置１１は、モータ４が正方向（図４において時計の針の回転と反対の方向）に回転する時には従動ギヤ１６が正方向に９分の１に減速されて低速回転し、また同モータ４が逆方向に回転する時には従動ギヤ１６が正方向に６分の１に減速されて高速回転するように設計・製作されているものである。上記の９分の１の減速回転及び６分の１の減速回転数は、本文中及び図中において開示されていないが、各ギヤの歯数によって決定される。
【００４４】
このように上記従動ギヤ１６は、モータ４が正回転するときでも逆回転するときでも常に同じ方向に回転するものであり、しかもその回転数はモータ４の逆回転・正回転切換によってたとえば増速状態になったり減速状態になったりするものである。
【００４５】
また、上記の低高速切換用ギヤ装置１１は、スイッチ切換で正転指令または逆転指令の操作をモータに与える構成の実施によって可能とされているので、極数変換器、入力電圧変換器や複雑な構造の正逆切換クラッチ等はいらなくできる。
【産業上の利用可能性】
【００４６】
一般に、汎用ポリシャーは、電圧調整等電気的手段により増速/減速するようにされたモータ駆動の電動式であって、通常は高速回転の定格トルクで運転するようにされるものであり、増速運転状態にされた場合にはトルクが増大し、減速運転状態にされた場合には減少するものであった。
【００４７】
上記の汎用ポリシャーは、その使用の場合、例えば汚れがひどいところでは、上記高速回転をさらに高速にして大きいトルクを得ることことによって、これに対処していた。また、ジュウタンのような高速回転では織り糸が損傷してしまいそうなところでは、低速回転状態にすることで対処していた。
【００４８】
しかしながら、このような対処方法を行う場合、前者では液分の飛沫あるいは粉塵の飛散がより遠くまで達するようになる不都合が生じ、また後者ではややもするとトルク不足を招いたりする不都合が生じていた。
【００４９】
上記汎用ポリシャーに対して、請求項３及び請求項４に係るポリシャーのように、ギヤ等機械手段により増速/減速するようにされたポリシャーは、減速運転にされた場合にはトルクが増大し、増速運転された場合には減少するものである。すなわち、請求項３及び請求項４に係るポリシャーは、減速することで大トルク化された運転（以下、「減速−大トルク化運転」という）ができ、また増速することで小トルク化された運転（以下、「増速−小トルク化運転」という）ができる。また、遠くに達する液分や粉塵の飛沫、飛散を嫌うようなところでは、減速（低速）回転状態にすることで充分なトルクを得ながら上記液分や粉塵の飛沫、飛散を抑える運転ができる。
【００５０】
要するに、例えば汚れの多い洗い作業の初期段階には「減速−大トルク化運転」でしっかりと洗浄し、中盤には定格運転で丁寧に洗浄し、そして終盤には「増速−小トルク化運転」でさらっと軽快に洗浄できるというような理想的な洗浄ができる。
【００５１】
つまり、本発明に係るポリシャーによれば、電圧調整等電気的手段における高速−大トルクで洗浄するときに起きていた、遠くまで液分や粉塵を飛ばしてしまうという不都合が解消でき、ビニール幕で覆い隠して商品を保護するというような煩わしい作業が省略できる。
【００５２】
また、上記のようにウエート無しで浮き上がりを解消することが可能になるので、ウエート及びその管理をいらなくすることができる。仮に補助的にウエートを載せる必要があったとしても軽くて小さいウエートで間に合うので好都合である。
【００５３】
さらに、沈みの状態及び浮き上がりの状態のない安定したバランスのよい所謂悪癖のない運転が可能であるので、飛ばされる危険性の解消および壁にぶつける危険の解消ができるのみならず作業中には重心のバランスが良くなり、左右に振る作業が楽になり、洗いムラをなくすることができる。
【００５４】
本発明は、パッド台の中心と原動部の重心とを偏心させるだけで実現が可能であって、殊更に部品を増やすこと無しでも容易に実施できる。この実施において、上記の低高速切換用ギヤ装置は、上記「減速−大トルク化運転」及び「増速−小トルク化運転」を可能にする機能と上記偏心化に資する機能を一品で果たして都合が好いものである。
【００５５】
上記のようにバランスのよい所謂悪癖のない運転が可能でなるので、大径パッドの提供に有利である。
【図面の簡単な説明】
【００５６】
【図１】本発明に係る実施の形態を示す一部截断正面図である。
【図２】同じくハンドル部分を省略した平面図である。
【図３】同じく一部截断側面図である。
【図４】低高速切換用ギヤ装置の内部を示す概略斜視図である。
【符号の説明】
【００５７】
１  床洗浄機本体
２  モータ
３  床面
４  パッド
５  パッドカバー
６  原動部
７  操作ハンドル部
８  移動輪
９  洗浄液供給部
１０  パッド台
１１  低高速切換用ギヤ装置
１２  ギヤボックス部
１３  モータ回転軸
１４  従動軸
１５  原動ギヤ
１６  従動ギヤ
１７  低速側第１伝達ギヤ
１８  ワンウエイ・ベアリング
１９  低速側中心軸
２０  低速側第２伝達ギヤ
２１  低速側ギヤ群
２２  アイドラギヤ
２３  高速側第１伝達ギヤ
２４  ワンウエイ・ベアリング
２５  高速側中心軸
２６  高速側第２伝達ギヤ
２７  高速側ギヤ群
２８  取付部材
２９  台本体
３０  冷却フアン
３２  重心
３３  中心
【図１】
2005027928.tif 000003
【図２】
2005027928.tif 000004
【図３】
2005027928.tif 000005
【図４】
2005027928.tif 000006